(57)【要約】【課題】  同じ扉枠に対して取り付けるべき位置の異なる複数の扉を簡単に取り付けることができる。【解決手段】  上枠３および左右縦枠５、６を有する扉枠１と床１２で形成される開口部１４に設けられる扉１７に対して扉の幅方向１９右側の上部および下部をそれぞれピン支承により支持する上部扉支持装置２５および下部扉支持装置３５が設けられる扉の取付方法において、（１）下部扉支持装置３５の床１２に固定される床側部材３９について、扉枠１に対する相対的な位置を型取った型取り紙４７を扉枠の戸当り８に当てるとともに床１２上に置いて床側部材３９の位置決めを行う工程、（２）型取り紙４７によって位置決めされた位置に床側部材３９を置いて床側部材３９を床１２に固定する工程、を含む。【選択図】              図５
2005133526.tif 000002
【特許請求の範囲】
【請求項１】
上枠および左右縦枠を有する扉枠と床で形成される開口部に設けられる扉に対して該扉の幅方向一側の上部および下部をそれぞれピン支承により支持する上部扉支持装置および下部扉支持装置が設けられる扉の取付方法において、
（１）前記下部扉支持装置の前記床に固定される床側部材について、前記扉枠に対する相対的な位置を型取った型取り部材を前記扉枠の規定位置に当てるとともに前記床上に置いて前記床側部材の位置決めを行う工程、
（２）前記型取り部材によって位置決めされた位置に前記床側部材を置いて該床側部材を床に固定する工程、
を含むことを特徴とする扉の取付方法。
【請求項２】
請求項１において、前記扉をその幅方向一側で支持する場合は前記型取り部材の一方の面を上に向けた状態で前記床側部材の位置決めを行い、前記扉をその幅方向他側で支持する場合は前記型取り部材の他方の面を上に向けた状態で前記床側部材の位置決めを行い、前記型取り部材を表裏で使い分けることを特徴とする扉の取付方法。
【請求項３】
上枠および左右縦枠を有する扉枠と床で形成される開口部に設けられる扉に対して該扉の幅方向一側の上部および下部をそれぞれピン支承により支持する扉の支持装置であって、前記扉の上部を支持する上部扉支持装置は、前記扉枠側に固定される扉枠側部材と、前記扉側に固定される上部の扉側部材とを備え、該上部の扉側部材は、付勢手段により上向きに付勢されるとともに上下方向に移動可能な上部のピンと、該上部のピンに対して水平方向に微調整可能な上部水平方向調整手段とを有し前記上部のピンが前記扉枠側部材に回動可能に嵌入することによりピン支承され、前記扉の下部を支持する下部扉支持装置は、前記扉側に固定される下部の扉側部材と、前記床側に固定される床側部材とを備え、該床側部材は前記下部の扉側部材を支える下部のピンを有し、前記下部の扉側部材は、前記下部のピンに対して水平方向に微調整可能な下部水平方向調整手段と、前記下部のピンに対して上下方向に微調整可能な上下方向調整手段とを有し前記下部のピンによりピン支承されてなる扉の支持装置。
【発明の詳細な説明】
【技術分野】
【０００１】
本発明は、扉をピン支承により回転可能に支持する扉支持装置の位置決めおよび扉の支持装置に関するものである。
【背景技術】
【０００２】
従来、ピン支承により支持される扉の取付方法としては、たとえば上部扉支持装置として扉枠の上枠に上枠側部材、扉上部に扉側部材をそれぞれ取り付け、さらに下部扉支持装置として扉下部に扉側部材、床に床側部材をそれぞれ取り付け、扉の上部と下部において上部扉支持装置、下部扉支持装置それぞれの部材を嵌合させることにより扉を取り付ける方法が知られている（特許文献１、２など）。
【０００３】
また、扉の支持装置としては、たとえば扉枠側に固定される枠側部材と、扉側に固定される扉側部材とを備え、枠側部材の水平部には偏心歯車が設けられ、この偏心歯車に形成した偏心孔に、扉側部材に設けたピボット軸を摺動可能に挿着するものが知られている（特許文献３）。
【特許文献１】特許第２５１９０９７号公報
【特許文献２】特開２００１−１２１３７号公報
【特許文献３】特開２００３−１４８０３１号公報
【発明の開示】
【発明が解決しようとする課題】
【０００４】
上記扉の取付方法は、扉枠側部材および扉側部材がそれぞれ決まった位置に固定されるものであるから、一つの扉枠に対して、寸法的に適合する一つの扉しか取り付けることができなかった。また、下部扉支持装置の扉枠側部材が床に取り付けられる場合は、その取り付けるべき個所の位置決めが煩雑であった。
【０００５】
また、上記従来の扉の支持装置は、枠体に対して扉の相対的位置を前後左右方向および上下方向に微調整することはできるが、扉の取り付けに当っては煩雑のおそれがあり熟練を要する。
【０００６】
本発明は、同じ扉枠に対して取り付けるべき位置の異なる複数の扉を簡単に取り付けることができることである。
【０００７】
また、本発明は、取り付けた扉の建付けの微調整が簡便にできることである。
【課題を解決するための手段】
【０００８】
上記課題を解決するため、本発明は、上枠および左右縦枠を有する扉枠と床で形成される開口部に設けられる扉に対して、この扉の幅方向一側の上部および下部をそれぞれピン支承により支持する上部扉支持装置および下部扉支持装置が設けられる扉の取付方法において、
（１）下部扉支持装置の床に固定される床側部材について、扉枠に対する相対的な位置を型取った型取り部材を扉枠の規定位置に当てるとともに床上に置いて床側部材の位置決めを行う工程、
（２）型取り部材によって位置決めされた位置に床側部材を置いて床側部材を床に固定する工程、
を含むことを特徴とする。
【０００９】
このようにすることにより、型取り部材を扉枠の規定位置に当てるとともに床上に置いて床側部材の位置決めを行うことができる。型取り部材によって位置決めされた位置に下部扉支持装置の床側部材を置いて、床に床側部材を固定することができ簡単に取り付けることができる。
【００１０】
さらに、扉をその幅方向一側で支持する場合は型取り部材の一方の面を上に向けた状態で床側部材の位置決めを行い、扉をその幅方向他側で支持する場合は型取り部材の他方の面を上に向けた状態で床側部材の位置決めを行い、型取り部材を表裏で使い分けると良い。こうすると、一つの型取り部材で扉をその幅方向一側で支持する場合と、扉をその幅方向他側で支持する場合との両方に兼用することができる。
【００１１】
また、本発明は、上枠および左右縦枠を有する扉枠と床で形成される開口部に設けられる扉に対して該扉の幅方向一側の上部および下部をそれぞれピン支承により支持する扉の支持装置であって、前記扉の上部を支持する上部扉支持装置は、前記扉枠側に固定される扉枠側部材と、前記扉側に固定される上部の扉側部材とを備え、該上部の扉側部材は、付勢手段により上向きに付勢されるとともに上下方向に移動可能な上部のピンと、該上部のピンに対して水平方向に微調整可能な上部水平方向調整手段とを有し前記上部のピンが前記扉枠側部材に回動可能に嵌入することによりピン支承され、前記扉の下部を支持する下部扉支持装置は、前記扉側に固定される下部の扉側部材と、前記床側に固定される床側部材とを備え、該床側部材は前記下部の扉側部材を支える下部のピンを有し、前記下部の扉側部材は、前記下部のピンに対して水平方向に微調整可能な下部水平方向調整手段と、前記下部のピンに対して上下方向に微調整可能な上下方向調整手段とを有し前記下部のピンによりピン支承されてなることを特徴とする。
【００１２】
このようにすることにより、扉を扉枠に対して取り付けて建付けの微調整をするときに、扉の上部を支持する上部扉支持装置においては、上部の扉側部材のピンは、付勢手段により上向きに付勢されるとともに上下方向に移動可能であるので、上部のピンを上下方向に移動させることにより扉の上部を扉枠に対して簡単に着脱することができる。さらに、扉側部材は、上部のピンに対して水平方向に微調整可能な上部水平方向調整手段を有するので、扉の上部を扉枠に対して適正な位置に建付け調整することができる。
【００１３】
さらに、扉の下部を支持する下部扉支持装置においては、下部の扉側部材は、下部のピンに対して水平方向に微調整可能な下部水平方向調整手段を有するので、扉の下部を扉枠に対して適正な位置に建付け調整することができる。さらに、下部の扉側部材は、下部のピンに対して上下方向に微調整可能な上下方向調整手段を有するので、扉の下部を床に対して適正な高さ位置に建付け調整することができる。この場合、上部の扉側部材に設ける上部のピンは、上下方向に移動可能であるので、下部のピンの上下方向の高さ調整に当っては扉の上部位置にかかわらず簡単に調整できる。
【００１４】
次に本発明を構成する各要件についてさらに詳しく説明する。本発明を適用できる扉は、扉枠を有し、その扉枠の開口部に水平面内での回転によって開閉するものである。この場合、扉は片側開きはもちろん両側開き（観音開き）のものでも良い。扉枠は、上枠と一対の縦枠を有する三方枠（または略門形）のものである。ピン支承は、ピボットヒンジに相当し、ピン周りの回転運動のみが自由で、軸方向や軸に直角の方向の移動を規制する支承方式である。
【００１５】
上部扉支持装置は、扉枠の上枠側に取り付けられる上枠側部材および扉上部に取り付けられる扉側部材を有し、扉側部材は上枠側部材によってピン支承される。下部扉支持装置は、扉下部に取り付けられる扉側部材および床に取り付けられる床側部材を有し、扉側部材は床側部材によりピン支承される。
【００１６】
型取り部材は、紙、合成樹脂板、金属板などで形成され、床側部材の断面外側輪郭を型取った孔を設けると良い。この場合、その一方の面（表面）または他方の面（裏面）において、扉枠に対する相対的な位置が異なる複数の床側部材の位置決めができるように、床側部材の外側輪郭を型取った孔を形成すると良い。これにより、一つの型取り部材で複数の床側部材の位置決めを行うことができる。
【００１７】
扉および扉枠の材質は、その表面に化粧材を設けることができれば特に限定されないが、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系、あるいは木質系と合成樹脂系との複合積層材料などを使用できる。
【００１８】
床は、木質材、無機材など材料には限定されないが、特に木質系床材の場合には床側部材の固定を木ねじ、釘などで固定することができる。
【００１９】
上部水平方向調整手段と下部水平方向調整手段とは同じ機構でも良い。上部水平方向調整手段または下部水平方向調整手段は、特に限定されないが、たとえば雄ねじと雌ねじを組み合わせたねじ送り機構、ラックとピニオンによる回転運動を直線運動にかえる機構あるいは偏心カム機構などを用いることができる。上下方向調整手段としては、特に限定されないが、上記ねじ送り機構、ラックとピニオンによる機構あるいは偏心カム機構などでも良い。
【発明の効果】
【００２０】
本発明によれば、同じ扉枠に対して取り付けるべき相対的な位置が異なる複数の扉を簡単に取り付けることができ、扉枠の使用の範囲を広げる。
【００２１】
また、取り付けた扉の建付けの微調整が簡便にできる。
【発明を実施するための最良の形態】
【００２２】
以下、本発明に係る扉の取付方法および扉の支持装置の実施例を図面に基づいて詳細に説明する。なお、図１〜１０において、同一または同等部分には同一符号を付けて示す。
【実施例１】
【００２３】
図１は、本発明に係る扉の取付方法を適用した扉装置の一実施例を示す正面図である。本扉装置は、扉枠１と床１２で形成される開口部１４に扉１７を設けたものである。扉枠１は、上枠３および左右縦枠５、６を有する三方枠（または門形枠）で、バリアフリーのために下枠が無い。扉１７は、片開きで扉枠の開口部１４に対して水平面内で回転するように取り付けられる。
【００２４】
扉枠１および扉１７は、たとえば主として木質繊維板（ＭＤＦなど）で形成され、表面に化粧材が設けられる。化粧材は、扉枠１および扉１７を形成する木質繊維板の少なくとも露出面に設けられ、可撓性を有する材料が選定される。化粧材の材料としては、たとえば天然木材を切削して得られる天然突板や表面に各種模様を印刷した合成樹脂シートなどが使用される。
【００２５】
扉１７は、その幅方向１９の右側（一側）２１の上部および下部において、それぞれ上部扉支持装置２５および下部扉支持装置３５によりピボットヒンジ（ピン支承）により支持される。ピボットヒンジは、その軸が垂直方向に設けられたピン周りの水平面内での回転が可能である。また、扉の左側（他側）で中間高さ位置寄りには取手２４が設けられる
【００２６】
床１２は、木質系材料で形成され、合板、木質繊維板（ＭＤＦなど）、木削片板、単板積層板などである。床１２の表面には化粧材が設けられるが、先に挙げた化粧材と同じ材質のものを使用しても良い。
【００２７】
図２は、図１におけるＡ−Ａ線断面図である。扉１７が閉じられた状態で扉１７は左右縦枠５、６および上枠３（図１）の幅方向中央に設けられた戸当り８に当接する。左側の戸当り８および上枠の戸当り８には緩衝片９が設けられる。緩衝片９は、扉１７が閉じられた際に、その衝撃と衝撃音を小さくする。
【００２８】
図３は、図１におけるＢ−Ｂ線断面図である。上部扉支持装置２５は、扉枠の上枠３側に取り付けられる上枠側部材２７および扉上部に取り付けられる扉側部材２９を有する。下部扉支持装置３５は、扉下部に取り付けられる扉側部材３７および床に取り付けられる床側部材３９を有する。
【００２９】
上部扉支持装置２５の上枠側部材２７と扉側部材２９とは、扉側部材２９に設けられるピン３１が上枠側部材２７に設けられる孔に挿入されることによりピン支承される。さらに、ピン３１は、その基端側につまみ３３が設けられ、このつまみ３３を下方に引くことによりピン３１の先端が上枠側部材２７の孔から外れるようになっている。そして、ピン３１は常にコイルばね３４により上方に付勢されている。
【００３０】
下部扉支持装置３５の扉側部材３７と床側部材３９とは、床側部材３９に設けられるピン４１が扉側部材３７に設けられる孔に挿入されることによりピン支承される。扉側部材３７に設けられる孔がピン４１に差し込まれることにより扉側部材３７がピン先端に載置され、ピン４１は略扉１７の重量を支える。なお、符号５４は床見切りを表す。
【００３１】
図４は、図１〜３に示した実施例で使用する型取り紙（型取り部材）４７の表面（一方の面）５０側を示す平面図である。型取り紙４７は、その平面形状が異形方形で、その略中央右辺にはコの字形状の凹み４８が開口している。コの字形状の凹み４８は、右縦枠６に取り付けられた戸当り８（図５に表示）の外側輪郭を略型取っている。さらに、型取り紙４７の下部には右辺下部に開口する湾形状の凹み４９が形成されている。湾形状の凹み４９は床側部材３９の外側輪郭を略型取っている。また、型取り紙４７の表面５０には、文字「（Ｒ）右支持」、「タイプａ」および「タイプｂ」と、タイプａ、タイプｂの各扉床側部材３９の位置決めすべき位置が示されている。
【００３２】
図５は、図４に示した型取り紙４７を使って下部扉支持装置の床側部材３９を床上に位置決めする方法を示す平面断面図である。この図５において、扉枠１は、壁の躯体１６に固定されている。型取り紙の凹み４９は、下部扉支持装置の床側部材３９の外側輪郭を略型取っているが、扉枠１に対する相対的な取り付け位置が異なる二つの扉、すなわちタイプａとタイプｂの二つの扉に対して位置決めができるように凹み４９の形状に工夫が施されている。
【００３３】
タイプａの扉とタイプｂの扉との違いは、扉本体の厚さが異なることである。すなわち、タイプａの扉の厚さの方がタイプｂの扉の厚さよりも大きい。したがって、型取り紙４７におけるタイプａの扉の床側部材３９の位置決め位置は、タイプｂの扉の床側部材３９の位置決め位置よりも型取り紙４７の先端側に寄っている。
【００３４】
凹み４９は、床側部材３９の外側輪郭より若干大きく形成され、扉枠１に対する相対的な位置を示すタイプａとタイプｂが示されている。タイプａの扉の床側部材３９を位置決めする場合は、凹み４９の下側の円弧状の縁４９ａに沿わせて床側部材３９を位置させることにより右縦枠６からの相対的な位置が出される。タイプｂの扉を位置決めする場合は、凹み４９の上側の縁４９ｂおよび右縦枠の縁６ａに床側部材３９を沿わせて位置させることにより右縦枠６からの相対的な位置が出される。このようにすることにより、この型取り紙４７は２種類の扉の位置決めができる。
【００３５】
次に、型取り紙４７を使用して床側部材３９を扉枠の右縦枠６に固定する方法について説明する。先ず、型取り紙４７の凹み４８を図示のように戸当り８に押し当てる。この状態で、型取り紙４７の位置は固定される。タイプａの扉の場合は、床側部材３９の円弧部３９ａ側をタイプａと表示された凹み４９の円弧状の縁４９ａに当てて床側部材３９の位置決めを行う。そして、床側部材３９の位置が決まった段階で、長孔４１に木ねじを通し、床側部材３９を床１２に固定する。
【００３６】
扉がタイプｂの場合は、床側部材３９の底辺部３９ｂ側をタイプｂと表示された凹み４９の縁（辺）４９ｂに当てるとともに、床側部材３９の側辺部３９ｃを右縦枠６の縁６ａに当てることにより床側部材３９の位置決めを行う。そして、床側部材３９の位置が決まった段階で、床側部材３９の長孔４１に木ねじを通し、床側部材３９を床１２に固定する。
【００３７】
図６は、図４に示した型取り紙を裏返して図５と反対側の裏面（他方の面）５２に床側部材４０を位置決めする方法を示す平面断面図である。扉枠の左縦枠５についても、右縦枠６と同形状、同じ大きさの戸当り８が取り付けられている。このため型取り紙４７を裏返してコの字形状の凹み４８を左縦枠５の戸当り８に押し当てて型取り紙４７の位置を決めることができる。また、型取り紙の裏面５２には、文字「（Ｌ）左支持」、「タイプａ」および「タイプｂ」と、タイプａ、タイプｂの各扉床側部材４０の位置決めすべき位置が示されている。
【００３８】
床側部材４０の位置決めを行う方法は、図５に示した床側部材３９の位置決めに準ずる。すなわち、型取り紙の凹み４８を図示のように戸当り８に押し当てて、型取り紙４７の位置を固定した後、タイプａの扉の場合は、床側部材４０の円弧部４０ａ側をタイプａと表示された凹みの縁４９ａに当てて床側部材４０の位置決めを行う。そして、床側部材４０の位置が決まった段階で、床側部材４０の長孔４１に木ねじを通して床側部材４０を床１２に固定する。
【００３９】
タイプｂの扉の場合は、床側部材４０の底辺部４０ｂ側をタイプｂと表示された凹みの縁（辺）４９ｂに当てるとともに、床側部材の側辺部４０ｃを左縦枠５の縁５ａにあてて床側部材４０の位置決めを行う。そして、床側部材４０の位置が決まった段階で、床側部材４０の長孔４１に木ねじを通し床１２に固定する。図６におけるその他の構造と作用は、図５に示したものと同様であるので、その説明を省略する。
【００４０】
以上説明したように、本実施例の型取り紙４７は、これを扉枠１の規定位置に当てるとともに床上に置いて床側部材３９または４０の位置決めを行うことができる。型取り紙４７によって位置決めされた位置に下部扉支持装置の床側部材３９または４０を置いて、床に固定することができ簡単に取り付けることができる。
【００４１】
さらに、扉１７（図１〜３）をその幅方向右側で支持する場合は型取り紙４７の表面５０を上に向けた状態で床側部材３９の位置決めを行い、扉１７をその幅方向左側で支持する場合は型取り紙４７の裏面５２を上に向けた状態で床側部材４０の位置決めを行うことによって型取り紙４７を表裏で使い分ける。こうすると、一つの型取り紙４７で扉１７をその幅方向右側で支持する場合と、扉１７をその幅方向左側で支持する場合との両方に兼用することができる。
【実施例２】
【００４２】
実施例２の扉の支持装置を使用した扉枠と扉の取付状態については、図１、２に示すものと同様であるので、その説明を省略する（図１、２において実施例１と実施例２とで同じ符号を用いている）。
【００４３】
図７は、本発明に係る下部の扉側部材および床側部材の実施例２を示し、（ａ）は平面図、（ｂ）は正面図である。扉の支持装置は、扉１７（図１、２）の上部を支持する上部扉支持装置２５（図１０）および扉１７の下部を支持する下部扉支持装置３５（図７）から形成されている。
【００４４】
下部扉支持装置３５は、扉側に固定される下部の扉側部材３７と、床１２側に固定される床側部材３９とを備える。下部の扉側部材３７は、床側部材３９に設けられる下部のピン４２によりピン支承されるとともに、下部の扉側部材３７は下部のピン４２に対して水平方向に微調整可能な下部水平方向調整機構（下部水平方向調整手段）８４と、下部のピン４２に対して上下方向に微調整可能な上下方向調整機構（上下方向調整手段）９６とを有する。
【００４５】
下部の扉側部材３７は、板状の取付片３７ａと、この取付片３７ａの一辺片側寄りに立設される立設片３７ｂと、この立設片３７ｂの両側から延在する一対の軸受片３７ｃおよび先端側から延在する覆片３７ｄとを有する。立設片３７ｂ、軸受片３７ｃおよび覆片３７ｄは略立方体状の空間の隣合う４面を覆う。下部の扉側部材３７は、取付片３７ａにより扉の下木口１８ａに固定される。取付片３７ａは、図示していないビスにより３箇所のビス孔３８を介して扉の下木口１８ａに固定される。また、立設片３７ｂ、軸受片３７ｃおよび覆片３７ｄの外側はカバー９３が被せられる。
【００４６】
図８は、図７（ｂ）におけるＡ−Ａ線断面図で、下部水平方向調整機構８４の構造を説明する図である。下部の扉側部材の立設片３７ｂ、軸受片３７ｃおよび図示されない覆片３７ｄの４片で囲まれる空間内にブロック８８が装着される。ブロック８８は円柱状で、その断面形状は矩形状部分８８ａと、略円形状部分８８ｂとを組み合わせた異形方円形である。ブロックの矩形状部分８８ａの水平方向には雌ねじ８９が形成される。
【００４７】
一方、扉側部材の軸受片３７ｃ側には皿状孔が設けられる。この皿状孔に雄ねじ８６が形成された水平方向調整ねじ８５が挿入され、ブロックの雌ねじ８９に螺合される。水平方向調整ねじ８５の先端８７ｂ側は回動可能なように拡径してかしめられる。このように形成することにより、水平方向調整ねじの頭８７ａ側を回動することにより水平方向調整ねじ８５は、軸受片３７ｃに対しては相対的位置を変えずに回動するので、ブロック８８は水平方向調整ねじ８５の長手方向（図８の左右方向）に移動する。
【００４８】
さらに、図７に示すように、下部の扉側部材３７は、上下方向調整機構９６を有しており、上下方向調整機構９６は、ブロック８８の略円形状部分８８ｂの中心で上下方向に形成された孔９０ａおよびこれに延在する雌ねじ９０ｂと、雌ねじ９０ｂに螺合する上下方向調整ねじ９１および上下方向調整ねじ９１の下面側に接して設けられる座板９２とを含む。
【００４９】
孔９０ａの径は、下部のピン４２が回動可能に挿入できる（遊嵌できる）大きさである。座板９２は、上下方向調整ねじ９１を回動するときに回動し易くする。座板９２には一対の突起９２ａが形成され、この突起９２ａは孔９０ａの縦軸方向に形成される細溝（図示せず）に入り回り止めとされる。上下方向調整ねじ９１を回動することにより上下方向調整ねじ９１が上下方向に移動し、下部の扉側部材３７、したがって扉１７の高さが変わる。
【００５０】
図９は、図７（ｂ）における床側部材を示し、（ａ）は図７（ｂ）におけるＢ−Ｂ線断面図、（ｂ）は正面図である。床側部材３９は、円柱状の下部のピン４２と、異形三角形状の座４５とから形成される。下部のピン４２は、図７（ｂ）に示すように、ブロックに形成された孔９０ａに挿入される。座４５は、上記下部のピン４２がかしめにより固着されるとともに、１対の長孔４１が設けられる。床側部材３９は、この長孔４１を利用して図示していないビスにより床に固定される。座４５に設けた長孔４１は、床側部材３９の扉枠に対する固定位置を調整することができる。
【００５１】
図１０は、本発明に係る上部の枠側部材および扉側部材の実施例２を示し、（ａ）は正面図、（ｂ）は（ａ）のＣ−Ｃ線断面図である。扉の上部を支持する上部扉支持装置２５は、扉枠の上枠３側に固定される上枠側部材（扉枠側部材）２７と、扉側に固定される上部の扉側部材２９とを備える。上部の扉側部材２９は、下部の扉側部材３７（図７）に対して対向する位置に設けられ、その形状は下部の扉側部材３７に対して略反対勝手である。
【００５２】
上部の扉側部材２９は、コイルばね３４（付勢手段）により上向きに付勢されるとともに上下方向に移動可能な上部のピン３１と、この上部のピン３１に対して水平方向に微調整可能な上部水平方向調整機構（上部水平方向調整手段）７１とを有する。上部の扉側部材２９は、上部のピン３１が上枠側部材２７の穴２８に回動可能に嵌入することによりピン支承される。
【００５３】
上部の扉側部材２９は、板状の取付片２９ａと、この取付片２９ａの一辺片側寄りに立設される立設片２９ｂと、この立設片２９ｂの両側から延在する一対の軸受片２９ｃおよび先端側から延在する覆片２９ｄとを有する。立設片２９ｂ、軸受片２９ｃおよび覆片２９ｄは略立方体状の空間の隣合う４面を覆う。上部の扉側部材２９は、取付片２９ａにより扉の上木口１８ｂに固定される。取付片２９ａは、図示していないビスにより３箇所のビス孔３０を介して扉の上木口１８ｂに固定される。また、立設片２９ｂ、軸受片２９ｃおよび覆片２９ｄの外側はカバー８０が被せられる。
【００５４】
さらに、上部の扉側部材の立設片２９ｂ、軸受片２９ｃおよび覆片２９ｄの４片で囲まれる空間内にブロック７７が装着される。ブロック７７は円柱状で、その断面形状は矩形状部分７７ａと、略円形状部分７７ｂとを組み合わせた異形方円形である。ブロックの矩形状部分の水平方向には雌ねじ７８が形成される。
【００５５】
一方、扉側部材の軸受片２９ｃ側には皿状孔が設けられる。この皿状孔に雄ねじ７５が形成された水平方向調整ねじ７４が挿入され、ブロックの雌ねじ７８に螺合される。水平方向調整ねじ７４の先端７６ｂ側は回動可能なように拡径してかしめられる。このように形成することにより、水平方向調整ねじの頭７６ａ側を回動することにより水平方向調整ねじ７４は、軸受片２９ｃに対しては相対的位置を変えずに回動するので、ブロック７７は水平方向調整ねじ７４の長手方向（図１０の左右方向）に移動する。
【００５６】
先に記載したように、上部の扉側部材２９は、コイルばね３４により上向きに付勢されるとともに上下方向に移動可能な上部のピン３１が上枠側部材２７の穴２８に回動可能に嵌入することによりピン支承される。さらに、ピン３１は、その基端側につまみ３３が設けられ、このつまみ３３を下方に引くことによりピン３１の先端が上枠側部材の穴２８から外れるようになっている。
【００５７】
図１１は、図１０に示す上枠側部材を示し、（ａ）は平面図、（ｂ）は正面図である。上枠側部材２７は、板状の取付片２７ａと、その一辺側に延在させた軸受片２７ｂとを有する。取付片２７ａには上枠に取り付けるための４箇所の孔２７ｃが設けられ、図示していないビスによりこの孔２７ｃを介して固定される。軸受片２７ｂには穴２８が設けられ、この穴２８に先のピン３１の先端が抜き差し可能に嵌入される。さらに、軸受片２７ｂにはリブ２７ｄが形成され、このリブ２７ｄの先端寄りには覆い板２７ｅが設けられ、ピン３１の先端側が十分に嵌入できるように形成される。
【００５８】
以上の構造を有する実施例２の扉の支持装置は、次のように作用する。すなわち、扉１７を扉枠１に対して取り付けて建付けの微調整をするときに、図１０に示すように、扉の上部を支持する上部扉支持装置２５においては、上部の扉側部材のピン３１は、コイルばね３４により上向きに付勢されるとともに上下方向に移動可能であるので、上部のピン３１を上下方向に移動させることにより扉１７の上部を扉枠１に対して簡単に着脱することができる。さらに、扉側部材２９は、上部のピン３１に対して水平方向に微調整可能な上部水平方向調整機構７１を有するので、扉１７の上部を扉枠１に対して適正な位置に建付け調整することができる。
【００５９】
さらに、扉１７の下部を支持する下部扉支持装置３５においては、図７に示すように、下部の扉側部材３７は、下部のピン４２に対して水平方向に微調整可能な下部水平方向調整機構８４を有するので、扉１７の下部を扉枠１に対して適正な位置に建付け調整することができる。さらに、下部の扉側部材３７は、下部のピン４２に対して上下方向に微調整可能な上下方向調整機構９６を有するので、扉１７の下部を床に対して適正な高さ位置に建付け調整することができる。この場合、上部の扉側部材２９に設ける上部のピン３１は、上下方向に移動可能であるので、下部のピン４２の上下方向の高さ調整に当っては扉１７の上部位置にかかわらず簡単に調整できる。
【００６０】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００６１】
本発明の扉の取付方法および扉の支持装置は、集合住宅や個別住宅の扉あるいは事務所、理髪店、美容院などの扉に対して利用可能である。
【図面の簡単な説明】
【００６２】
【図１】本発明に係る扉の取付方法を適用した扉装置の一実施例を示す正面図である。
【図２】図１におけるＡ−Ａ線断面図である。
【図３】図１におけるＢ−Ｂ線断面図である。
【図４】図１〜３で示した実施例で使用する型取り紙の平面図である。
【図５】図４に示した型取り紙を使って下部扉支持装置の床側部材を位置決めする方法を示す平面断面図である。
【図６】図４に示した型取り紙を裏返して図５と反対側に床側部材を位置決めする方法を示す平面断面図である。
【図７】本発明に係る下部の扉側部材および床側部材の実施例２を示し、（ａ）は平面図、（ｂ）は正面図である。
【図８】図７（ｂ）におけるＡ−Ａ線断面図である。
【図９】図７（ｂ）における床側部材を示し、（ａ）は図７（ｂ）におけるＢ−Ｂ線断面図、（ｂ）は正面図である。
【図１０】本発明に係る上部の上枠側部材および扉側部材の実施例２を示し、（ａ）は正面図、（ｂ）は（ａ）のＣ−Ｃ線断面図である。
【図１１】図１０に示す上枠側部材を示し、（ａ）は平面図、（ｂ）は正面図である。
【符号の説明】
【００６３】
１  扉枠
３  上枠
５  左縦枠
６  右縦枠
８  戸当り
１２  床
１４  開口部
１７  扉
１９  幅方向
２１  右側（一側）
２３  左側（他側）
２５  上部扉支持装置
２７  上枠側部材
２９  扉側部材
３５  下部扉支持装置
３７  扉側部材
３９、４０  床側部材
４７  型取り紙（型取り部材）
４８、４９  凹み
５０  表面（一方の面）
５２  裏面（他方の面）
７１  上部水平方向調整機構（上部水平方向調整手段）
８４  下部水平方向調整機構（下部水平方向調整手段）
９６  上下方向調整機構（上下方向調整手段）
【図１】
2005133526.tif 000003
【図２】
2005133526.tif 000004
【図３】
2005133526.tif 000005
【図４】
2005133526.tif 000006
【図５】
2005133526.tif 000007
【図６】
2005133526.tif 000008
【図７】
2005133526.tif 000009
【図８】
2005133526.tif 000010
【図９】
2005133526.tif 000011
【図１０】
2005133526.tif 000012
【図１１】
2005133526.tif 000013